(57)【要約】【課題】メンテナンス性を確保しつつ、スペース的な余裕があまり場所に設置するのに有利なコージェネレーションシステムを提供する。【解決手段】ハウジング９は、正面板９１と、左側面板９２、右側面板９３、背面板９４とを備えた箱形状をなしている。ガス接続部２００、電気配線接続部３００、温水配管接続部５２は、ハウジング９の左側面板９２および右側面板９３のいずれか一方に形成されているメンテナンス開口９９に臨むように、当該一方の側に集約されている。【選択図】図１
2007139291.tif 000002
【特許請求の範囲】
【請求項１】
ガスエンジンと、前記ガスエンジンに燃料ガスを供給するガス配管に繋がるガス接続部と、前記ガスエンジンに吸気される空気を浄化させるエアクリーナと、前記ガスエンジンから排出される排気ガスを冷却水と熱交換させる排気ガス熱交換器と、温水入口および温水出口を有する温水配管接続部をもち前記温水入口から供給した水を前記エンジンの排熱により間接的または直接的に加熱して温水とし前記温水出口から温水を排出させる温水回路と、前記エンジンの冷却水の熱を放出する放熱ラジエータと、前記放熱ラジエータに空気を送風して前記放熱ラジエータを冷却するラジエータファンと、内蔵部品に電気的に繋がる電気配線を接続するための電気配線接続部と、これらの部品を収容する箱形状のハウジングとを具備するコージェネレーションシステムにおいて、
前記ハウジングは、正面板、左側面板、右側面板、背面板を備えた箱形状をなしており、
前記ガス接続部、前記電気配線接続部、前記温水配管接続部は、前記ハウジングの前記左側面板および前記右側面板のうちのいずれか一方に形成されているメンテナンス開口に臨むように、当該一方の側に集約されていることを特徴とするコージェネレーションシステム。
【請求項２】
請求項１において、前記ラジエータファンが吸引する冷却用の空気の吸込口は、前記左側面板および前記右側面板のうち、前記ガス接続部、前記電気配線接続部、前記温水配管接続部が設けられている側の当該一方において、前記メンテナンス開口の上側に設けられていることを特徴とするコージェネレーションシステム。
【請求項３】
請求項１または２において、付属部品を収容する増設ユニットが、前記ハウジングのうちの前記左側面板および前記右側面板のうちの他方の側に配置されており、且つ、前記ハウジングのうちの前記左側面板および前記右側面板のうちの当該一方は、前記増設ユニットを増設しない非増設面であることを特徴とするコージェネレーションシステム。
【請求項４】
請求項３において、前記増設ユニットは、付属品ユニットまたは貯湯タンクユニットであることを特徴とするコージェネレーションシステム。
【発明の詳細な説明】
【技術分野】
【０００１】
本発明は、狭いスペースへの設置性を確保しつつ、メンテナンス性を高めたコージェネレーションシステムに関する。
【背景技術】
【０００２】
従来、ガスエンジンで発電するガスエンジンの排熱を利用するコージェネレーションシステムが知られている（特許文献１等）。コージェネレーションシステムは、ガスエンジンと、ガスエンジンに燃料ガスを供給するガス配管に繋がるガス接続部と、ガスエンジンに吸気される空気を浄化させるエアクリーナと、ガスエンジンを通過させることにより加熱された冷却水を熱源として熱エネルギを取り出す温水回路と、放熱ラジエータと、放熱ラジエータに空気を送風して放熱ラジエータを冷却するラジエータファンと、これらの部品を収容する箱形状のハウジングとを備えている。
【０００３】
このようなコージェネレーションシステムでは、多数の部品を搭載しているため、定期的または不定期的なメンテナンスが必要とされる。通常、ハウジングの正面からメンテナンスできるように、ハウジングの正面板にメンテナンス開口が形成され、メンテナンス開口が蓋で開閉可能に閉鎖されている。更に、燃料ガス配管に繋がるガス接続部、内蔵電気部品に繋がる電気配線接続部、冷却水配管を繋ぐ温水配管接続部に対する接続作業のために、メンテナンス開口以外の開口をハウジングの右側面板および左側面板の双方にそれぞれ形成し、各開口に蓋をしている。
【特許文献１】特開平８−４５８６号公報
【発明の開示】
【発明が解決しようとする課題】
【０００４】
上記したコージェネレーションシステムによれば、設置対象となるユーザーにはスペース的な余裕があまりないところが多い。また、このシステムは、メンテナンスまたは施工用の作業用スペースを必要とする。このためハウジングの設置スペースが狭いため、メンテナンスまたは施工用の作業用スペースが取れず、コージェネレーションシステムを導入したいものの、設置スペースの関係で、導入が断念されることがあった。
【０００５】
本発明は上記した実情に鑑みてなされたものであり、メンテナンス性を確保しつつ、スペース的な余裕があまり場所に設置するのに有利なコージェネレーションシステムを提供することを課題とする。
【課題を解決するための手段】
【０００６】
本発明に係るコージェネレーションシステムは、ガスエンジンと、前記ガスエンジンに燃料ガスを供給するガス配管に繋がるガス接続部と、前記ガスエンジンに吸気される空気を浄化させるエアクリーナと、前記ガスエンジンから排出される排気ガスを冷却水と熱交換させる排気ガス熱交換器と、温水入口および温水出口を有する温水配管接続部をもち前記温水入口から供給した冷却水を前記エンジンの排熱により間接的または直接的に加熱して温水とし前記温水出口から温水を排出させる温水回路と、前記エンジンの冷却水の熱を放出する放熱ラジエータと、前記放熱ラジエータに空気を送風して前記放熱ラジエータを冷却するラジエータファンと、内蔵部品に電気的に繋がる電気配線を接続するための電気配線接続部と、これらの部品を収容する箱形状のハウジングとを具備するコージェネレーションシステムにおいて、
前記ハウジングは、正面板、左側面板、右側面板、背面板を備えた箱形状をなしており、前記ガス接続部、前記電気配線接続部、前記温水配管接続部は、前記ハウジングの前記左側面板および前記右側面板のうちのいずれか一方に形成されているメンテナンス開口に臨むように、当該一方の側に集約されていることを特徴とする。
【０００７】
本発明によれば、前述したように、ガス接続部、電気配線接続部、温水配管接続部は、ハウジングの左側面板および右側面板のいずれか一方に形成されているメンテナンス開口に臨むように、当該一方の側に集約されている。
【０００８】
メンテナンス開口は、メンテナンスまたは施工のための開口を意味する。一般的には、メンテナンス開口は蓋で閉鎖されている。
【発明の効果】
【０００９】
本発明によれば、前述したように、ガス接続部、電気配線接続部、温水配管接続部、ハウジングの左側面板および右側面板のいずれか一方に形成されているメンテナンス開口に臨むように、当該一方の側に集約されている。換言すると、ガス接続部、電気配線接続部、温水配管接続部は、ハウジングの左側面板および右側面板のうちの他方の側には配置されていない。上記したように配線系および配管系の接続部が当該一方の側に集約されている。このため上記した各接続部に対する接続配線作業および接続配管作業が容易となる。
【００１０】
本発明によれば、ハウジングの左側面板および右側面板のうちの一方の側に作業用空間を形成しておけば、ハウジングの左側面板および右側面板のうちの他方を設置スペースの壁体に接近させることができる。このため、狭い設置スペースであっても、メンテナンス性を確保しつつ、ハウジングの設置性が確保される。
【発明を実施するための最良の形態】
【００１１】
本発明によれば、温水回路は、エンジンの排熱により間接的または直接的に加熱して温水とし温水出口から温水を排出させるものである。『間接的』とは、エンジンの排熱を１または２以上の熱交換器を介して受熱してもよいという意味である。
【００１２】
本発明によれば、ラジエータファンが吸引する冷却用の空気の吸込口は、ハウジングの左側面板および右側面板のうちの当該一方において、メンテナンス開口の上側に設けられている形態が例示される。このように放熱ラジエータを冷却させる冷却用の空気をラジエータファンにより吸引する吸込口が、ハウジングの左側面板および右側面板のうちの当該一方において、形成されているため、冷却用の空気を吸引する関係上、当該一方の外方に空気吸引用のスペースが設けられる。かかるスペースを作業用スペースとして兼用することができる。
【００１３】
前述したように配線系および配管系の接続部は、ハウジングの左側面板および右側面板のうちの当該一方の側に集約されている。従ってハウジングの左側面板および右側面板のうちの他方の側には、配線系および配管系の接続部（即ち、ガス接続部、電気配線接続部、温水配管接続部）は設けられない。従ってこれらの接続については、ハウジングの左側面板および右側面板のうちの他方の側を、常時閉鎖する常時閉鎖型の構造としても、特段の支障がない。
【００１４】
本発明によれば、付属部品を収容する増設ユニットが、ハウジングの左側面板および右側面板の他方（即ち、ガス接続部、電気配線接続部、温水配管接続部が設けられていない側）に配置されている形態を例示される。ハウジングのうちの左側面板および右側面板のうちの当該一方は、増設ユニットを増設しない非増設面である形態が例示される。増設ユニットは、ハウジングに対して着脱可能でも、ハウジングに一体的に固定されるものでも良い。増設ユニットとしては、付属品ユニットまたは貯湯タンクユニットが例示される。なお、増設ユニットの上面の高さとしては、ハウジングの天井板よりも低い形態が例示される。
【実施例１】
【００１５】
以下、本発明の実施例１を図１〜図３を参照して説明する。図１は、コージェネレーションシステムのハウジングの内部配置構造を模式的に示すレイアウト図（図２のＩ−Ｉ線矢視図）を示す。図２はコージェネレーションシステムのハウジングの正面図を示す。図３はコージェネレーションシステムのハウジングの右側面側の内部構造を模式的に示すレイアウト図を示す。図面はあくまでもレイアウト図であり、大略を示すものであり、細部構造まで示すものではない。
【００１６】
図１は、本システムのハウジング９を狭い設置スペースに設置している状態を示す。図１に示すように、ハウジング９の正面板９１の正面側に作業用スペースＫ１が形成されていると共に、ハウジング９の右側面板９３側に作業用スペースＫ２が形成されている。
【００１７】
本システムは、図１に示すように、ガスエンジン１と、ガスエンジン１に吸気される空気を浄化させるエアクリーナ２と、ガスエンジン１のエンジンオイルを溜めるオイルタンク３と、ガスエンジン１から排出される高温の排気ガスを冷却水と熱交換して冷却水を加熱して加熱水とする熱交換器４と、熱交換器４と別体をなし熱交換器４の冷却水通路を流れる加熱水の熱を温水として熱交換する熱交換器４Ｂ（図３参照）と、エンジン１の冷却水の熱を放出する放熱ラジエータ６（図２参照）と、放熱ラジエータ６に空気を送風して放熱ラジエータ６を冷却するラジエータファン７（図２参照）と、ドレン中和器８と、これらの多数の部品を収容する箱形状のハウジング９とを備えている。熱交換器４Ｂは、ガスエンジン１の排熱により間接的に温水を生成するものである。
【００１８】
ガスエンジン１は防振機能をもつマウント１ｍで支持されており、燃焼室に供給される燃料混合ガスを点火させる複数の点火プラグ１０を有するシリンダヘッド１１と、オイルフィルタ１ｍとをもつ。エアクリーナ２は浄化フィルタ２０をもつ。オイルタンク３はオイル給油口３０をもつ。ドレン中和器８は、中和剤８ａを収容しており、ガスエンジン１から排出される排気ガスに含まれている水蒸気が凝縮した水を貯留させ、その水を中和剤８ａにより中和させる中和室をもつ器である。中和剤８ａはメンテナンス時に交換または補充することが好ましい。ドレン中和器８はドレス水排出口８０をもつ。ドレン水排出口８０は、ドレン中和器８のドレス水を外方に排出させるものであり、外部配管８０ｗが接続される。
【００１９】
図１〜図３に示すように、ハウジング９は収容室９６をもつ四角箱形状をなしており、脚９０ａを有する底面板９０と、正面板９１と、左側面板９２と、右側面板９３と、正面板９１に対向する背面板９４と、上向きの導風口９５ａをもつ天井板９５とを備えている。ハウジング９の収容室９６は、仕切壁９６ｍにより上下２段に区画されており、下側のエンジン収容室９７と、上側の電気室９８とをもつ。電気室９８は、インバータ等の電気系部品４００、ラジエータ６、ラジエータファン７を収容する。エンジン収容室９７はガスエンジン１を収容する。
【００２０】
図３に示すように、温水回路５は、ハウジング９の内部配管５ａに水を送る温水入口５０およびハウジング９の内部配管５ｃから温水を取り出す温水出口５１を有する温水配管接続部５２をもつ。ここで、温水入口５０から供給された水は、熱交換器４Ｂの通水路に通過することにより加熱されて温水となる。そして温水は温水出口６１から排出される。温水入口５０は、外部水源に繋がる給水系の配管５０ｗに接続される。温水出口５１は、加熱後の温水が流れる配管５１ｗに接続される。なお、給水系の配管５０ｗ、温水用の配管５１ｗは、作業用スペースＫ２に配置されている。
【００２１】
図３に示すように、ガス接続部２００はガスエンジン１に燃料ガスを供給する外部ガス配管２００ｗに接続されるものであり、外部の燃料ガス源に繋がる。電気配線接続部３００は、ハウジング９に内蔵されている電気端子台３０２から導出する電気配線３０４に電気的に繋がる電気配線３００ｗを接続するためのものである。通信線接続部７００は内部の制御機器の通信線を外部の通信線７００ｗに接続するためのものである。なお、外部ガス配管２００ｗ、電気配線３００ｗ、通信線７００ｗ、外部配管８０ｗは、ハウジング９の右側面板９３の側に形成されている作業用スペースＫ２に配置される。
【００２２】
本実施例によれば、図３に示すように、ガス接続部２００、電気配線接続部３００、温水配管接続部５２、通信線接続部７００、ドレン水排出口８０は、ハウジング９の右側面板９３に形成されているメンテナンス開口９９に臨むように、右側面板９３の側に集約されている。図３に示すように、電気配線接続部３００、温水配管接続部５２、通信線接続部７００、ドレン水排出口８０は、右側面板９３のメンテナンス開口９９の底部付近において並設されている。メンテナンス開口９９は、着脱可能な蓋９９ａで覆われている。蓋９９ａの外側には作業用スペースＫ２が確保される。
【００２３】
図２に示すように、コージェネレーションシステムにおいて、電気室９８に配置されているラジエータファン７が軸芯Ｐ１回りで回転作動すると、外部の空気（冷却用の空気）、具体的には作業用スペースＫ２の空気は、ハウジング９の吸込口９ｒから矢印Ａ１方向にハウジング９内に吸引され、ラジエータ６を通ってラジエータ６を冷却し、導風口９５ａからハウジング９の上方に導出される。吸込口９ｒは、ラジエータファン７に対面するように、ハウジング９の右側面板９３において、メンテナンス開口９９の上側に設けられている。従って、吸込口９ｒ付近の空気は、ラジエータファン７の回転駆動によりハウジング９内に吸引される。
【００２４】
図３に示すように、電気配線接続部３００に繋がる電気端子台３０２、ガス接続部２００をハウジング９の右側面板９３側において上下に分けて配置している。更に、電気配線接続部３００をガス接続部２００の下方に配置している。
【００２５】
本実施例によれば、各部品は定期的または不定期的なメンテナンスが必要とされる。ここで、ガスエンジン１の点火プラグ１０のメンテナンス、ガスエンジン１に搭載されている排気バルブおよび吸気バルブ等のバルブのクリアランスを調整するメンテナンス、エアクリーナ２の浄化フィルタ２０のメンテナンス、ガスエンジン１のエンジンオイル補充のメンテナンス、ドレン中和器８のメンテナンス等については、ハウジング９の正面板９１の正面蓋９１ｍを外すことにより、ハウジング９の正面板９１の正面メンテナンス口９１ｃを開放させることにより、ハウジング９の正面板９１の正面側の作業用スペースＫ２から行なうことができる。
【００２６】
なお、本実施例では、ハウジング９の背面板９４および左側面板９２の双方は、常時に閉鎖されている常時閉鎖型であり、メンテナンス開口を有していない。このため図１に示すように、ハウジング９の背面板９４を室Ｒの壁体Ｒ２に接近させることができ、左側面板９２を室Ｒの壁体Ｒ１に接近させることができる。図２に示すように、ハウジング９の右側面板９３の側に作業用スペースＫ２がメンテナンス開口９９に対面できるように、ハウジング９が設置される。
【００２７】
図２に示すように、ハウジング９の電気室９８内において左側面板９２の側には、インバータ等の発熱性をもつ電気系部品４００が配置されている。電気系部品４００の放熱性を高めることが好ましい。このため、ハウジング９の左側面板９２の上部には、電気室９８と外気とを連通させる通気口９ｔが形成されている。これにより発熱性をもつ電気系部品４００の放熱性が確保され、電気系部品４００の長寿命化が図られる。
【００２８】
以上説明したように本実施例によれば、図３に示すように、燃料配管、配線関係、温水配管の接続部として機能するガス接続部２００、電気配線接続部３００、温水配管接続部５２、更には、通信線接続部７００、ドレン水排出口８０は、ハウジング９の右側面板９３に形成されているメンテナンス開口９９に臨むように、右側面板９３の側にまとめて集約されている。換言すると、ガス接続部２００、電気配線接続部３００、温水配管接続部５２、ドレン水排出口８０は、ハウジング９の左側面板９２には配置されていない。
【００２９】
上記したように燃料配管、配線関係、温水配管の配管の接続部がハウジング９の右側面板９３の側に集約されている。このためハウジング９の右側面板９３の側に作業スペースＫ２を確保するようにハウジング９を設置すれば、ガス接続部２００、電気配線接続部３００、温水配管接続部５２、ドレン水排出口８０について、メンテナンスまたは施工の作業が容易となる。更に本実施例によれば、ガス接続部２００、電気配線接続部３００、温水配管接続部５２、ドレン水排出口８０は、ハウジング９の右側面板９３の側において、特に底部側に集約されている。このため、作業員はハウジング９の底部付近の作業にできるだけ集中することができ、メンテナンスまたは施工が一層容易となる。
【００３０】
更に、上記したように燃料配管、配線関係、温水配管の配管の接続部がハウジング９の右側面板９３の側に集約されているため、図３に示すように、ハウジング９の左側面板９２（即ち、ガス接続部２００、電気配線接続部３００、温水配管接続部５２、ドレン水排出口８０が集約されている側と反対側）を、室Ｒの壁体Ｒ１（障害物）に寄せて接近させるように、且つ、ハウジング９の背面板９４を壁体Ｒ２（障害物）に寄せて接近させるように、ハウジング９を設置させることができる。このため、室Ｒの設置スペースの長さＬａ（図２参照）が狭いときであっても、ハウジング９に搭載されている部品に対するメンテナンス性を良好に確保しつつ、ハウジング９の設置性が確保される。
【００３１】
本実施例によれば、図２に示すように、ラジエータファン７が吸引する冷却用の空気の吸込口９ｒは、右側面板９３において、メンテナンス開口９９の上側に設けられている。このように放熱ラジエータ６を冷却させる冷却用の空気を吸引する吸込口９ｒが右側面板９３（即ち、ガス接続部２００、電気配線接続部３００、温水配管接続部５２、ドレン水排出口８０が集約されている側）に形成されている。このため、冷却用の空気を吸引する関係上、ハウジング９の右側面板９３の側方に空気吸引用のスペースが必要とされる。かかる空気吸引用のスペースを作業用スペースＫ２として兼用することができる。このように作業用スペースＫ２がハウジング９の右側面板９３の側方に設けられているので、ラジエータファン７が吸引する冷却用の空気の流れを妨げることも抑えられる。
【００３２】
なお、ラジエータファン７が回転するのは、一般的には、温水回路５の冷却水の温度がかなり高温となり、放熱ラジエータ６により冷却水の放熱性を高めるときである。この場合、温水の温度が高温であり、温水用の配管５１ｗを流れる温水も昇温しがちである。
【実施例２】
【００３３】
本発明の実施例２について図４および図５を参照して具体的に説明する。本実施例は実施例１と基本的には同様の構成および同様の作用効果を有する。本実施例では、図４および図５に示すように、付属部品を収容する増設ユニット４００（機能追加のための増設ユニット）が、ハウジング９の左側面板９２（即ち、ガス接続部２００、電気配線接続部３００、温水配管接続部５２、ドレン水排出口８０が集約されている側と反対側）にボルト等の取付具４００ｘにより取り付けられ、ハウジング９の左側に配置されている。
【００３４】
この場合、左側面板９２には、ガス接続部２００、電気配線接続部３００、温水配管接続部５２、ドレン水排出口８０が集約されていない。このためハウジング９の左側面板９２は、常時閉鎖型であり、メンテナンス時または施工時に開放される必要が無い。本実施例は、このような常時閉鎖型の平坦状の左側面板９２を増設ユニット４００を取り付ける増設面として有効利用している。なお、右側面板９３は増設ユニットを増設しない非増設面である。
【００３５】
付属部品としてはバッテリー４１０が挙げられる。バッテリー４１０は、ガスエンジン１に発電機が接続されているとき、発電機で発電した発電電力を蓄電するものである。バッテリー４１０が搭載されていれば、商用電源が停電しているときに有利である。
【００３６】
図４に示すように、ハウジング９の電気室９８内において左側面板９２の側には、インバータ等の発熱性をもつ電気系部品４００が配置されている。電気系部品４００の放熱性を高めることが好ましい。このため、ハウジング９の左側面板９２の上部には、電気室９８と外気とを連通させる通気口９ｔが形成されている。通気口９ｔを閉鎖しないように、つまり、通気口９ｔから放熱できるように、増設ユニット４００の上面４００ｕの高さ寸法Ｈ２は、ハウジング９の天井板９５の高さ寸法Ｈ１よりも低くされている。これにより発熱性をもつ電気系部品４００の放熱性が確保され、電気系部品４００の長寿命化が図られる。
【００３７】
図５に示すように、増設ユニット４００の奥行き寸法Ｄ２は、ハウジング９の奥行き寸法Ｄ１と基本的には同一（Ｄ２＝Ｄ１、Ｄ２≒Ｄ１）とされている。この場合、増設ユニット４００の収容室４００ｍの容積が確保される。しかしこれに限らず、Ｄ２＜Ｄ１でも良い。
【００３８】
更に、図５に示すように、矢印Ｂ１方向（ハウジング９の左側面板９２と右側面板９３とを結ぶ方向）において、増設ユニット４００のバッテリー４１０とガスエンジン１との間に、オイルタンク３およびエアクリーナ２が配置されている。このため、ガスエンジン１の駆動条件、ガスエンジン１の冷却条件の如何によってガスエンジン１が過熱されるときであっても、あるいは、ハウジング９の収容室９６の容積が小さいため、エンジン収容室９７内が昇温しがちなときであっても、ガスエンジン１の熱がバッテリー４１０に伝達されることが抑えられる。故に、増設ユニット４００のバッテリー４１０（付属部品）の長寿命化および耐久性の向上に貢献できる。
【００３９】
本実施例では、図４および図５に示すように、ハウジング９に付設された増設ユニット４００の側面４３０を、室Ｒの壁体Ｒ１（障害物）に寄せて接近させるように、ハウジング９を設置させることができる。このため、設置スペースが狭いときであっても、ハウジング９に搭載されている部品に対するメンテナンス性を良好に確保しつつ、ハウジング９の設置性が確保される。
【実施例３】
【００４０】
本発明の実施例３について図６を参照して具体的に説明する。本実施例は実施例１と基本的には同様の構成および同様の作用効果を有する。本実施例では、図６に示すように、貯湯タンクユニット６００（機能追加のための増設ユニット）が、ハウジング９の左側面板９２（即ち、ガス接続部２００、電気配線接続部３００、温水配管接続部５２、ドレン水排出口８０が集約されている側と反対側）にボルト等の取付具６００ｘにより取り付けて配置されている。この場合、ガス接続部２００、電気配線接続部３００、温水配管接続部５２、ドレン水排出口８０が集約されていない側の左側面板９２は、常時閉鎖型であり、メンテナンス時または施工時に開放される必要が無い。このように増設ユニットである貯湯タンクユニット６００を取り付ける増設面として、常時閉鎖型の左側面板９２を有効利用している。なお、右側面板９３は増設ユニットを増設しない非増設面である。
【００４１】
貯湯タンクユニット６００は、貯湯タンク６０１と、貯湯系関連部品６０３と、これらを収容するボックス６０５とで構成されている。図６に示すように、貯湯系関連部品６０３は、循環ポンプ６１０と、熱交換器４Ｂに繋がる往路６１２と、熱交換器４Ｂに繋がる復路６１４と、貯湯タンク６０１に水を供給する給水部６１６と、貯湯タンク６０１内の温水を取り出す給湯部６１８とをもつ。
【００４２】
本実施例においても、図６に示すように、ハウジング９内において左側面板９２の側には、インバータ等の発熱性をもつ電気系部品４００が配置されている。電気系部品４００の放熱性を高めるため、ハウジング９の左側面板９２の上部には通気口９ｔが形成されている。通気口９ｔを閉鎖しないように、貯湯タンクユニット６００の上面６００ｕの高さ寸法Ｈ２は、ハウジング９の天井板９５の高さ寸法Ｈ１よりも低くされている。これにより発熱性をもつ電気系部品４００の通気口９ｔからの放熱性が確保される。
【００４３】
（他の実施例）
上記した実施例によれば、ハウジング９の右側面板９３は壁体Ｒ３に比較的近いように図示されているが、これに限らず、右側面板９３と壁体Ｒ３との作業用スペースＫ２を更に大きくしても良い。上記した実施例によれば、燃料配管、配線関係、温水配管の接続部として機能するガス接続部２００、電気配線接続部３００、温水配管接続部５２、更には、通信線接続部７００、ドレン水排出口８０は、ハウジング９の右側面板９３に形成されているメンテナンス開口９９に臨むように、右側面板９３の側にまとめて集約されているが、これに限らず、ハウジング９の左側面板９２に形成されているメンテナンス開口に臨むように、左側面板９２の側にまとめて集約されていても良い。この場合、ハウジング９の右側面板９３には集約しない。その他、本発明は上記し且つ図面に示した実施例のみに限定されるものではなく、要旨を逸脱しない範囲内で適宜変更して実施できる。
【産業上の利用可能性】
【００４４】
本発明はガスエンジンを搭載するコージェネレーションシステムに利用することができる。
【図面の簡単な説明】
【００４５】
【図１】コージェネレーションシステムのハウジングの内部配置構造を模式的に示すレイアウト図（図２のＩ−Ｉ線矢視図）である。
【図２】コージェネレーションシステムのハウジングの正面図である。
【図３】コージェネレーションシステムのハウジングの右側面側の内部構造を模式的に示すレイアウト図である。
【図４】実施例２に係り、コージェネレーションシステムのハウジングの正面図である。
【図５】実施例２に係り、コージェネレーションシステムのハウジングの平面図である。
【図６】実施例３に係り、コージェネレーションシステムのハウジングの正面図である。
【符号の説明】
【００４６】
１はガスエンジン、２はエアクリーナ、４は熱交換器、４Ｂは熱交換器、５は温水回路、５２は温水配管接続部、６は放熱ラジエータ、７はラジエータファン、９はハウジング、９１は正面板、９２は左側面板、９３は右側面板、９４は背面板、９９はメンテナンス開口、７はラジエータファン、９９ｒは吸込口、２００はガス接続部、３００は電気配線接続部を示す。
【図１】
2007139291.tif 000003
【図２】
2007139291.tif 000004
【図３】
2007139291.tif 000005
【図４】
2007139291.tif 000006
【図５】
2007139291.tif 000007
【図６】
2007139291.tif 000008